(57)【特許請求の範囲】
【請求項１】
パイプ挿入部の軸方向一方側にホース接続部が形成された流体通過用のコネクタに取り付けられ、前記パイプ挿入部の軸方向他方側端開口からこのパイプ挿入部内に挿入されてスナップ嵌合したパイプ体の抜け止めと、前記ホース接続部に接続されたホースの抜け止めと、を行うコネクタ用抜け止めクリップであって、
前記パイプ体は、前記パイプ挿入部内に挿入され、かつ、前記パイプ挿入部の軸方向他方側端開口から軸方向外側に延びている直管部と、この直管部の軸方向他方側に形成された屈曲部と、を一体的に有し、
前記ホース接続部はコネクタ軸線に対して屈曲して延びていて、
前記コネクタ用抜け止めクリップは、
前記コネクタに取り付けられるコネクタ取付部と、前記パイプ体の前記屈曲部側に取り付けられるパイプ体取付部と、前記コネクタ取付部及び前記パイプ体取付部を一体的に連結するパイプ体抜け止めアームと、前記コネクタ取付部と一体的に設けられた、前記ホースに取り付けられるホース取付部と、を備え、
前記コネクタ取付部は、前記ホース接続部の延びる方向に外れないように、かつ、前記パイプ挿入部の軸方向について軸方向他方側に移動しないように前記コネクタの外周面に嵌め付けられてこのコネクタに取り付けられ、前記パイプ体取付部は、開口部と、この開口部から押し込まれた前記パイプ体の前記屈曲部側を収容する収容部と、を有し、前記パイプ体の前記屈曲部側の外周面に嵌め付けられてこの屈曲部側に取り付けられ、前記ホース取付部は、前記ホースの外周面にきつく嵌め付けられてこのホースに取り付けられていて、
前記コネクタ及び前記パイプ体を、前記コネクタ取付部と前記パイプ体取付部とによって前記パイプ挿入部の軸方向について軸方向両側から挟み、前記パイプ体が前記コネクタに対し、前記パイプ挿入部の軸方向について軸方向他方側に移動するのを阻止するために、前記収容部は、前記パイプ体の前記屈曲部側から前記パイプ挿入部の軸方向について軸方向一方側に外れないように形成され、
前記パイプ体取付部の前記開口部は、前記パイプ体の前記直管部及び前記屈曲部に沿った平面と直交する方向側に設けられている、ことを特徴とするコネクタ用抜け止めクリップ。
【発明の詳細な説明】
【０００１】
【発明の属する技術分野】
本発明は、例えば自動車のガソリン燃料配管の接続に用いられるコネクタに嵌め付けられたパイプ体及びホースがコネクタから外れるのを防止するコネクタ用抜け止めクリップに関する。
【０００２】
【従来の技術】
流体配管の接続に用いられるコネクタとパイプ体との連結は、例えば、パイプ体の外周面の軸方向一方側に環状係合突部を形成しておくとともに、コネクタのパイプ挿入部内にリテーナーを嵌め付けておき、環状係合突部がこのリテーナーの軸方向一方側端部とスナップ係合するようにパイプ体をこのリテーナー内に挿入してパイプ体とコネクタとを抜け止め状態とすることにより行われる。しかしながら、リテーナーは通常、弾性変形可能な樹脂等の比較的柔軟な材料で形成されていて、流体配管に高圧流体が流れ、コネクタとパイプとに大きな引離し力が作用すると、リテーナーが変形させられてパイプ体がリテーナーから外れてしまうといった事態も生じる可能性がある。したがって、コネクタ接続個所にはパイプ体がコネクタから外れないように補強するパイプ体抜け止め構造を構成しておくことが好ましい。
【０００３】
また、コネクタのホース接続部の外周面には凹凸の抜け止め形状が形成されていて、ホースはこのホース接続部にきつく嵌め付けられて接続されることとなるが、ホースは比較的柔軟に形成される場合もあり、凹凸の抜け止め形状との係合だけで十分なホース抜け止め機能を常に確保できるとはかぎらない。したがって、コネクタ接続個所にはホースがコネクタから外れないように補強するホース抜け止め構造を構成しておくことが好ましい。
【０００４】
【発明が解決しようとする課題】
ところで、実開昭６２−８６４８８号公報には、水道蛇口と継手との抜け止め構造に関するものではあるが、蛇口の蛇口栓部に帯体を掛け、この帯体の両端部を、継手に突出して形成した係合部に接続する抜け止め構造が記載されている。しかしながら、このような抜け止め構造は、屈曲部又は屈曲部から延びる延長部の軸線と交差する方向に突出する蛇口栓部のような突出部が形成されていないパイプ体とコネクタとの間には適用することができない。
【０００５】
また、実開昭６１−１１４１９０号公報には、パイプ体の屈曲部を利用したパイプ体とホースとの抜け止め構造が記載されている。しかしながら、このようなホース抜け止め構造は、ホースがパイプ体の屈曲部又は屈曲部から延びる延長部と直交又はほぼ直交して延びている接続形態に用いられるものであり、ホースがパイプ体の直管部と屈曲して延びる接続形態には適用することがむずかしいものである。
【０００６】
そこで本発明は、ホース接続部がコネクタ軸線に対して屈曲して形成されたコネクタと、屈曲部を有するパイプ体との接続個所に用いられ、ホース及びパイプ体が外れるのを防止するコネクタ用抜け止めクリップを提供することを目的とする。
【０００７】
【課題を解決するための手段】
この目的を達成するための本発明のコネクタ用抜け止めクリップは、パイプ挿入部の軸方向一方側にホース接続部が形成された流体通過用のコネクタに取り付けられ、前記パイプ挿入部の軸方向他方側端開口からこのパイプ挿入部内に挿入されてスナップ嵌合したパイプ体の抜け止めと、前記ホース接続部に接続されたホースの抜け止めと、を行うコネクタ用抜け止めクリップであって、前記パイプ体は、前記パイプ挿入部内に挿入され、かつ、前記パイプ挿入部の軸方向他方側端開口から軸方向外側に延びている直管部と、この直管部の軸方向他方側に形成された屈曲部と、を一体的に有し、前記ホース接続部はコネクタ軸線に対して屈曲して延びていて、前記コネクタ用抜け止めクリップは、前記コネクタに取り付けられるコネクタ取付部と、前記パイプ体の前記屈曲部側に取り付けられるパイプ体取付部と、前記コネクタ取付部及び前記パイプ体取付部を一体的に連結するパイプ体抜け止めアームと、前記コネクタ取付部と一体的に設けられた、前記ホースに取り付けられるホース取付部と、を備え、前記コネクタ取付部は、前記ホース接続部の延びる方向に外れないように、かつ、前記パイプ挿入部の軸方向について軸方向他方側に移動しないように前記コネクタの外周面に嵌め付けられてこのコネクタに取り付けられ、前記パイプ体取付部は、開口部と、この開口部から押し込まれた前記パイプ体の前記屈曲部側を収容する収容部と、を有し、前記パイプ体の前記屈曲部側の外周面に嵌め付けられてこの屈曲部側に取り付けられ、前記ホース取付部は、前記ホースの外周面にきつく嵌め付けられてこのホースに取り付けられていて、前記コネクタ及び前記パイプ体を、前記コネクタ取付部と前記パイプ体取付部とによって、前記パイプ挿入部の軸方向について軸方向両側から挟み、前記パイプ体が前記コネクタに対し、前記パイプ挿入部の軸方向について軸方向他方側へ移動するのを阻止するために、前記収容部は、前記パイプ体の前記屈曲部側から、前記パイプ挿入部の軸方向について軸方向一方側に外れないように形成され、前記パイプ体取付部の前記開口部は、前記パイプ体の前記直管部及び前記屈曲部に沿った平面と直交する方向側に設けられている、ものである。パイプ体とコネクタとの連結は、パイプ体の直管部の軸方向一方側に環状係合突部を形成し、コネクタのパイプ挿入部内にリテーナーを例えば取外可能に嵌め付けておいて、パイプ体の直管部に形成された環状係合突部がこのリテーナーの軸方向一方側端部とスナップ係合するように、パイプ体をこのリテーナー内に挿入することにより行われる場合が多い。コネクタ用抜け止めクリップは樹脂材料又は金属材料を用いて一体的に形成され、パイプ体は金属製、コネクタは樹脂製又は金属製とすることができる。コネクタとパイプ体との分離は通常、コネクタ用抜け止めクリップをコネクタから取り外し、次に、コネクタから、パイプ体と係合しているリテーナーを相対的に引き出したり、特にコネクタが金属製の場合には、コネクタの軸方向他方側端開口位置の折返部に邪魔されてリテーナーを引き出しにくいため、リリースツールをパイプ体に差し込み、リテーナーとパイプ体との係合を解除してパイプ体のみを引き抜くなどして行なわれる。コネクタは、パイプ挿入部の軸方向一方側にホース接続部が形成されているものであるが、このホース接続部はパイプ挿入部に対して屈曲して延びるように、例えば直角に又はほぼ直角に屈曲して延びるように形成されている。また、パイプ体は直管部の軸方向他方側に、例えば直管部に対して直角に又はほぼ直角に屈曲する屈曲部を有する。パイプ体の屈曲部及びこの屈曲部から直管部と反対側に延びる延長部は屈曲部側を構成する。
【０００８】
パイプ体の屈曲部側は、開口部から相対的に押し込まれて収容部に収容される。コネクタ及びパイプ体を、コネクタ取付部とパイプ体取付部とによって軸方向両側から挟むために、収容部は、パイプ体の屈曲部側から軸方向一方側に外れないように形成されていて、コネクタに対するパイプ体の軸方向他方側への移動が阻止される。ホースのホース接続部に沿った移動は、ホースの外周面にきつく嵌め付けられた、ホースの延びる方向に移動できないホース取付部に規制されて阻止される。
【０００９】
パイプ体取付部の開口部は、軸方向と直交する方向側に形成され、パイプ体の直管部及び屈曲部に沿った平面又は仮想平面と直交する方向側に設けられている。また、コネクタは通常、軸方向他方側の大径部に小径部を組み合わせることによって構成されている。そこで、コネクタの外周の軸方向一方側に面する段差面を利用し、この段差面に係合して軸方向他方側への移動が阻止されるように、コネクタ取付部をコネクタの外周面に嵌め付けることが好ましい。このように構成することにより、コネクタにコネクタ取付部の軸方向他方側への移動を阻止する特別の係合部を形成しておく必要はなくなる。
【００１０】
コネクタ、コネクタのホース接続部に接続されたホース、コネクタのパイプ挿入部に挿入嵌合したパイプ体及びコネクタ用抜け止めクリップは、配管接続構造を構成する。
【００１１】
【発明の実施の形態】
以下、本発明の実施の形態を図面を参照して説明する。
【００１２】
図１は本発明に係るコネクタ用抜け止めクリップが装着される配管接続部分の断面図、図２は配管接続部分に用いられるリテーナーの斜視図である。
【００１３】
自動車のガソリン燃料配管の配管接続部分は、ガラス繊維強化ポリアミド（ＰＡ・ＧＦ）製のコネクタ１に金属製のパイプ体３を挿入嵌合して構成され、コネクタ１は、パイプ挿入部５の軸方向（コネクタ軸方向）一方側端部に、このパイプ挿入部５に対して屈曲（ここでは直角に屈曲）して、あるいはパイプ挿入部５と角度を有して（ここでは９０度の角度を有して、あるいは直交して）一体的に接続形成されたホース接続部７を備えていて、コネクタ１には、パイプ挿入部５のコネクタ軸方向他方側端（後端）からホース接続部７の接続部軸方向（ホース接続部７の軸方向）一方側端（先端）まで貫通する貫通孔９が形成されている。ホース接続部７の外周には比較的柔軟な樹脂製のホース１１がきつく嵌め付けられて接続されている。パイプ挿入部５は、ホース接続部７が一体的に接続形成されたコネクタ軸方向一方側の円筒状連絡部１３と、周壁の径方向両側に平板部分１５、１５（図５参照：一方側のみ図示）が対向して形成され、周壁のそれぞれの円弧状部分１７、１７に係合窓１９、１９が対向して設けられたコネクタ軸方向他方側の大径の筒状保持部２１と、カラー２３を介してコネクタ軸方向に並んで内周面に嵌め込まれた一対のＯリング２５、２５を有し、コネクタ軸方向他方側から内周面に樹脂製ブッシュ２７が嵌め込まれている、コネクタ軸方向中間の円筒状シール部２９と、から構成され、円筒状シール部２９は筒状保持部２１よりも小径で、円筒状連絡部１３よりも大径に構成されている。
【００１４】
筒状保持部２１内にはＰＡ製のリテーナー３１が嵌め込まれていて、このリテーナー３１は比較的柔軟であり、弾性変形可能なように構成されている。リテーナー３１は、コネクタ軸方向他方側端部の径方向対称位置に、径方向外側に突出した一対の係合爪部３３、３３が形成されている、周方向両端部３５、３５間に比較的大きな隙間が設けられた断面Ｃ形の本体部３７を有し、この本体部３７の内面は、概略的には、コネクタ軸方向一方側に向かって縮径する状態に形成されていて、本体部３７のコネクタ軸方向一方側端部に形成された係合部３９は、概略的には、パイプ体３の外径とほぼ同じ内径状態に形成され、パイプ体３の外周面のコネクタ軸方向一方側に設けられている環状係合突部４１よりも小さい内径状態に形成されている。リテーナー３１の本体部３７のコネクタ軸方向他方側端部には、係合爪部３３、３３と対応した位置からコネクタ軸方向他方側に向かって径方向外側に傾斜して延びる一対の操作アーム４３、４３が一体的に設けられていて、それぞれの操作アーム４３、４３のコネクタ軸方向他方側端部には径方向外側に突出した操作端部４５、４５が形成されている。本体部３７の係合部３９には、周方向に延びる係合スリット４７、４７が対向して形成されていて、このような構成のリテーナー３１は、係合爪部３３、３３が筒状保持部２１の係合窓１９、１９内に入り込み、操作端部４５、４５が筒状保持部２１のコネクタ軸方向他方側端と係合状態となるように、筒状保持部２１内に押し込まれて嵌め付けられている。
【００１５】
コネクタ１のパイプ挿入部５にコネクタ軸方向他方側端開口４９から挿入されて嵌合した相手方のパイプ体３は、環状係合突部４１がリテーナー３１の本体部３７を押し広げて進行し、係合スリット４７、４７に嵌り込んでスナップ係合するまでコネクタ１に押し込まれて挿入されている。パイプ体３は、環状係合突部４１がリテーナー３１の本体部３７の係合スリット４７、４７に嵌り込んでスナップ係合することにより、コネクタ１に対して抜け止めされ、また挿入止めされる。すなわち、コネクタ軸方向に位置決めされる。環状係合突部４１の突出量は比較的少なく、リテーナー３１はこの僅かな突出量の環状係合突部４１と係合スリット４７、４７で係合してパイプ体３の抜け止め作用を行うこととなる。また、係合爪部３３の突出量も比較的少なく、リテーナー３１は、突出量の少ない係合爪部３３で係合窓１９に係合してパイプ体３の抜け止め作用を行う。パイプ体３のコネクタ軸方向一方側端は、円筒状シール部２９の一対のＯリング２５、２５を越えて円筒状連絡部１３内に達し、パイプ体３とコネクタ１のパイプ挿入部５の内周面との間はこのＯリング２５、２５により密封されている。
【００１６】
パイプ体３は、リテーナー３１の操作アーム４３、４３の操作端部４５、４５を外側から押圧して操作アーム４３、４３の径方向の間隔、したがって係合爪部３３、３３の径方向の間隔を狭め、係合爪部３３、３３が係合窓１９、１９から抜け出た状態としてリテーナー３１をコネクタ１から相対的に引き出すと、このリテーナー３１とともにコネクタ１から引き抜かれる。
【００１７】
パイプ体３は、コネクタ軸方向一方側に環状係合突部４１が形成されてコネクタ１のパイプ挿入部５内に挿入され、かつ、パイプ挿入部５のコネクタ軸方向他方側端開口４９から軸方向外側に延びている直管部５１と、この直管部５１のコネクタ軸方向他方側あるいはコネクタ軸方向他方側端に形成された屈曲部５３と、この屈曲部５３から延びる延長部５５と、を一体的に有していて、屈曲部５３がホース接続部７の延びる方向と反対側に屈曲し、延長部５５がこの屈曲部５３からホース接続部７の延びる方向と反対側に延びるようにコネクタ１に連結されるべきものである（図５参照）。屈曲部５３はここでは、直管部５１に対して直角に又はほぼ直角に屈曲している。
【００１８】
図３は本発明に係るコネクタ用抜け止めクリップの斜視図、図４は本発明に係るコネクタ用抜け止めクリップの正面図である。
【００１９】
コネクタ用抜け止めクリップ５７の材質には、熱可塑性樹脂が広く用いられるが、耐熱性が必要な場合は、ＰＡ１１、ＰＡ１２等のポリアミド系樹脂を用いる。また、ポリプロピレン（ＰＰ）等のポリプロピレン系樹脂又はポリエステル系樹脂を用いることによって低コスト化を図ることができる。コネクタ用抜け止めクリップ５７は、比較的厚肉のプレート体から形成され、コネクタ軸方向（配管接続部分に装着した場合）と直交して延びるアーム状のクリップ主体５９と、このクリップ主体５９の長さ方向一方側端部から直角に曲がってコネクタ軸方向一方側に短く延びるホース用アーム６１と、クリップ主体５９の長さ方向他方側端部から直角に曲がってコネクタ軸方向他方側に延びる屈曲部用アーム６３と、から一体的に構成されていて、クリップ主体５９とホース用アーム６１との間には補強リブ６５が一体的に形成され、クリップ主体５９と屈曲部用アーム６３との間にも補強リブ６７が一体的に形成されている。屈曲部用アーム６３（より正確には、コネクタ軸方向他方側端部を除いた屈曲部用アーム６３）、あるいはアーム状のクリップ主体５９の長さ方向他方側端部と屈曲部用アーム６３とはパイプ体抜け止めアームを構成する。
【００２０】
アーム状のクリップ主体５９の長さ方向他方側（長さ方向他方側端寄り）には、コネクタ１の円筒状シール部２９の外径とほぼ同一の径を有し、かつ、コネクタ１の円筒状シール部２９の外径よりも狭い間隔で幅方向一方側（接続部軸方向と直交する方向側、あるいは、ホース１１及びパイプ体３に沿った仮想平面と直交する方向側）に開口する、幅方向中央に形成された円筒内面状の収容部６９と、この収容部６９の両側の開口縁からそれぞれ、幅方向一方側に向かって間隔が広くなるように延びて開口部を形成する一対の開口案内面７１、７１と、を有するシール部嵌め込み部７３が厚さ方向（コネクタ軸方向）に貫通して形成されてコネクタ取付部７５が構成されている。シール部嵌め込み部７３は、クリップ主体５９からコネクタ軸方向一方側に一体的に突出した、シール部嵌め込み部７３に対応する内面を備えている延長突出部７７によりコネクタ軸方向に延長され、コネクタ軸方向に比較的長く形成されている。コネクタ取付部７５は、収容部６９が、開口案内面７１、７１間から相対的に押し込まれるコネクタ１の円筒状シール部２９とスナップ係合し、円筒状シール部２９を嵌め込んで収容することにより、この円筒状シール部２９に取り付けられる。
【００２１】
また、ホース用アーム６１のコネクタ軸方向一方側端部には、コネクタ軸方向一方側に突出するクランプ部７９が一体的に形成されたＣ形クランプ８１（ホース取付部）が構成され、Ｃ形クランプ８１は、係合内面又は内周面８３がホース１１の外径よりも小径に形成され、幅方向一方側（接続部軸方向と直交する方向側、あるいは、ホース１１及びパイプ体３に沿った仮想平面と直交する方向側）に狭い幅で開口していて、ホース１１の外周面にきつく嵌め付けられてホース１１に取り付けられる。クランプ部７９の幅方向一方側端部は、内側面が開口部を幅方向一方側に向かって広げてホース１１を嵌め込みやすくする開口案内面８５を形成するように構成されている。
【００２２】
さらに、屈曲部用アーム６３のコネクタ軸方向他方側端部には、パイプ体３の屈曲部５３の外径とほぼ同一の径を有し、かつ、この屈曲部５３の外径よりも狭い間隔で幅方向一方側（コネクタ軸方向と直交する方向側、あるいは、ホース１１及びパイプ体３に沿った仮想平面と直交する方向側）に開口する、幅方向中央に形成された円筒内面状の収容部８７と、この収容部８７の両側の開口縁からそれぞれ、幅方向一方側に向かって間隔が広くなるように延びて開口部を形成する一対の開口案内面８９、８９と、を有する屈曲部嵌め込み部９１が厚さ方向（接続部軸方向）に貫通して形成されてパイプ体取付部９３が構成されている。パイプ体取付部９３は、収容部８７が、開口案内面８９、８９間から相対的に押し込まれるパイプ体３の屈曲部５３とスナップ係合し、屈曲部５３の終端部を嵌め込んで収容することにより、この屈曲部５３に接続される。
【００２３】
図５はコネクタ用抜け止めクリップ５７を配管接続部分に装着した状態を示す斜視図、図６はコネクタ用抜け止めクリップ５７を配管接続部分に装着した状態を示す正面図である。
【００２４】
コネクタ用抜け止めクリップ５７は、コネクタ１にパイプ体３を挿入して嵌合してから配管接続部分に装着することができるように構成されている。コネクタ用抜け止めクリップ５７を配管接続部分に装着するには、例えば、まず屈曲部嵌め込み部９１の収容部８７内にパイプ体３の屈曲部５３をスナップ係合させて嵌め込み、パイプ体取付部９３を屈曲部５３に接続し、かつ、シール部嵌め込み部７３の収容部６９内にコネクタ１の円筒状シール部２９をスナップ係合させて嵌め込み、コネクタ取付部７５をコネクタ１に取り付ける。パイプ体取付部９３とコネクタ取付部７５とのコネクタ軸方向の間隔、あるいは屈曲部用アーム６３のコネクタ軸方向の長さは、パイプ体取付部９３を屈曲部５３の終端部に取り付けたときに、コネクタ取付部７５の軸方向他方側端あるいはアーム状のクリップ主体５９の裏面が、筒状保持部２１と円筒状シール部２９との間の、軸方向一方側に面する環状段差面９５に軸方向一方側から係合するように設定されている。次ぎに、Ｃ形クランプ８１の係合内面８３にホース１１をスナップ係合させてＣ形クランプ８１内にホース１１を嵌め込み、Ｃ形クランプ８１をホース１１に取り付ける。パイプ体取付部９３の収容部８７、コネクタ取付部７５の収容部６９及びＣ形クランプ８１は同一方向に開口しているので、コネクタ用抜け止めクリップ５７の配管接続部分への装着はワンタッチ的に容易に行うことができる。
【００２５】
コネクタ取付部７５は筒状保持部２１と円筒状シール部２９との間の環状段差面９５に軸方向一方側から係合しているので、軸方向他方側に移動できない状態でコネクタ１の外周面に嵌め付けられている。また、屈曲部嵌め込み部９１の収容部８７は、コネクタ軸方向他方側に開口しているわけではないので、パイプ体取付部９３はパイプ体３の屈曲部５３の外周面に、パイプ体３が軸方向他方側に外れないように、あるいは、パイプ体３から軸方向一方側に外れないように嵌め付けられている。したがって、パイプ体３はコネクタ１から抜ける方向に移動することができない。そして、Ｃ形クランプ８１はホース１１を締め付けるようにこのホース１１の外周面に嵌め付けられている。また、シール部嵌め込み部７３の収容部６９は、接続部軸方向他方側に開口しているわけではないので、コネクタ取付部７５はコネクタ１の外周面に接続部軸方向一方側に外れないように嵌め付けられている。したがって、ホース１１はホース接続部７から外れる方向に移動できない。
【００２６】
【発明の効果】
以上説明したように、本発明のコネクタ用抜け止めクリップを用いれば、安価に製造できる一体的に形成された一つのクリップを配管接続部分に取り付けることで、コネクタからパイプ体が外れることも、ホースが外れることも同時に防止することができる。
【図面の簡単な説明】
【図１】本発明に係るコネクタ用抜け止めクリップが装着される配管接続部分の断面図である。
【図２】配管接続部分に用いられるリテーナーの斜視図である。
【図３】本発明に係るコネクタ用抜け止めクリップの斜視図である。
【図４】本発明に係るコネクタ用抜け止めクリップの正面図である。
【図５】コネクタ用抜け止めクリップを配管接続部分に装着した状態を示す斜視図である。
【図６】コネクタ用抜け止めクリップを配管接続部分に装着した状態を示す正面図である。
【符号の説明】
１                          コネクタ
３                          パイプ体
５                          パイプ挿入部
７                          ホース接続部
４９                          軸方向他方側端開口
５１                          直管部
５３                          屈曲部
５５                          延長部
５７                          コネクタ用抜け止めクリップ
６３                          屈曲部用アーム（パイプ体抜け止めアーム）
７５                          コネクタ取付部
８１                          Ｃ形クランプ（ホース取付部）
９３                          パイプ体取付部
【図１】
0003674038.tif 000002
【図２】
0003674038.tif 000003
【図３】
0003674038.tif 000004
【図４】
0003674038.tif 000005
【図５】
0003674038.tif 000006
【図６】
0003674038.tif 000007